(57)【要約】【課題】表示装置本体等の被支持物の安定性を確保することができるとともに、衝撃力が集中するのをなくすることができ、コストを低減することができるスタンド及び表示装置を提供する。【解決手段】表示装置本体に取付けられる取付体と、該取付体を横方向への摺動を自在に支持するベースとを備え、取付体には下に向く凸部を設け、ベースには前記凸部が摺動を自在とするように嵌入される嵌合孔を設け、取付体の摺動にて衝撃力の一部を吸収し、取付体の表示装置本体への取付部、及びベースの取付体支持部に衝撃力が集中するのをなくするようにした。【選択図】図１
2010266690.tif 000002
【特許請求の範囲】
【請求項１】
被支持物を支持するスタンドにおいて、前記被支持物に取付けられる取付体と、該取付体を横方向への摺動を自在に支持するベースとを備えることを特徴とするスタンド。
【請求項２】
前記取付体は異なる二方向への摺動が自在である請求項１記載のスタンド。
【請求項３】
前記取付体及びベースの一方には、摺動時に他方に当接する弾性体を取付けてある請求項１又は２記載のスタンド。
【請求項４】
前記取付体（又はベース）には、下（又は上）に向く凸部を設けてあり、ベース（又は取付体）には、前記凸部が前記摺動を自在とするように嵌入される孔を設けてある請求項１から３のいずれか一つに記載のスタンド。
【請求項５】
前記凸部は断面＋字形をなし、前記孔は＋字形をなす請求項４記載のスタンド。
【請求項６】
前記凸部の周面及び孔の間に弾性体を設けてある請求項４又は５記載のスタンド。
【請求項７】
被支持物を支持するスタンドにおいて、横方向に長い杆体と、該杆体の両端部に横方向への摺動を自在に装着され、前記被支持物に取付けられる二つの支柱と、前記杆体の中央側に結合され、該杆体を支持する柱体と、該柱体の下端部に結合されるベースとを備えることを特徴とするスタンド。
【請求項８】
前記柱体は前記ベースに対して横方向への摺動が自在である請求項７記載のスタンド。
【請求項９】
画像表示面を有し、前記被支持物を構成する表示装置本体と、該表示装置本体の下部に取付けられる請求項１から８のいずれか一つに記載のスタンドとを備えることを特徴とする表示装置。
【発明の詳細な説明】
【技術分野】
【０００１】
本発明は液晶表示装置、プラズマ表示装置等の被支持物を支持するスタンド、及びスタンドを備える表示装置に関する。
【背景技術】
【０００２】
液晶テレビジョン等の薄型の表示装置は、前側に画像表示面を有する表示装置本体と、該表示装置本体を起立状態で支持するスタンドとを備える。このようにスタンドが表示装置本体を起立状態で支持するように構成された表示装置は、例えば特許文献１に記載されている。
【０００３】
特許文献１に記載の表示装置は、略直方体をなす表示装置本体の後面に、上下に長い対の可撓リブを取付け、該対の可撓リブの下端部後面に、スタンドポールブラケットを取付け、該スタンドポールブラケットにスタンドポールが接続される構成になっている。この表示装置にあっては、床に落したりしてスタンドポールブラケットに衝撃力が加わったとき、可撓リブの撓みによって前記衝撃力を緩和し、表示パネルの破損を防ぐことができる。
【先行技術文献】
【特許文献】
【０００４】
【特許文献１】特開２００８−９６７１２号公報
【発明の概要】
【発明が解決しようとする課題】
【０００５】
ところが、特許文献１に記載されているように、表示装置本体とスタンドとの間に可撓リブが設けられている表示装置にあっては、可撓性の高い可撓リブである場合、衝撃力に対して表示装置本体の安定性が悪くなり、比較的小さい衝撃力に対して表示装置本体が前後方向へ振動し易くなるという問題があり、また、可撓性の低い可撓リブである場合、衝撃力の吸収効果が低いという問題があり、可撓リブの可撓性を設定するのが難しい。また、スタンド又は表示装置本体に加わる衝撃力は、可撓リブに集中するだけでなく、スタンドポールブラケットの可撓リブへの取付部、及びスタンドポールのスタンドポールブラケットへの取付部にも集中して加わることになるため、取付部の剛性、及び取付部を有する部品夫々の剛性を高める必要があり、コストが高くなるという問題もある。
【０００６】
本発明は斯かる事情に鑑みてなされたものであり、主たる目的は表示装置本体等の被支持物の安定性を確保することができるとともに、衝撃力が集中するのをなくすることができ、コストを低減することができるスタンド及び表示装置を提供することにある。
【課題を解決するための手段】
【０００７】
本発明に係るスタンドは、被支持物を支持するスタンドにおいて、前記被支持物に取付けられる取付体と、該取付体を横方向への摺動を自在に支持するベースとを備えることを特徴とする。
【０００８】
この発明にあっては、被支持物の荷重がスタンドに直接加えられ、該スタンドが撓むことなく被支持物の荷重を受止めるため、被支持物の安定性を確保することができる。また、外部から被支持物に加わる衝撃力に対して、被支持物を支持した状態で取付体を横方向へ摺動させ、この取付体の摺動にて衝撃力の一部を吸収することができるため、取付体の被支持物への取付部、及びベースの取付体支持部に衝撃力が集中するのをなくすることができ、取付体及びベースの剛性を殊更高める必要がなく、スタンドのコストを低減できる。
【０００９】
また、本発明に係るスタンドは、前記取付体は異なる二方向への摺動が自在である構成とするのが好ましい。
この発明にあっては、被支持物の一方向への衝撃力を吸収することができるだけでなく、被支持物の他方向への衝撃力をも吸収することができ、多方向の衝撃力に対応することができるため、衝撃力に対するスタンドの耐久性を高めることができる。
【００１０】
また、本発明に係るスタンドは、前記取付体及びベースの一方には、摺動時に他方に当接する弾性体を取付けてある構成とするのが好ましい。
この発明にあっては、外部から加わる衝撃力にて被支持物が横方向へ振動し、取付体及びベースが横方向へ相対的に摺動し、振動する場合、この振動を弾性体にて抑制することができるため、被支持物の振動の収束を早めることができ、被支持物の転倒をより一層余裕をもって防止することができる。
【００１１】
また、本発明に係るスタンドは、前記取付体（又はベース）には、下（又は上）に向く凸部を設けてあり、ベース（又は取付体）には、前記凸部が前記摺動を自在とするように嵌入される孔を設けてある構成とするのが好ましい。
この発明にあっては、外部から加わる衝撃力により被支持物が横方向へ振動する場合、孔に嵌入されている凸部を孔に沿って摺動させることができるため、摺動方向へスムーズに摺動させることができ、衝撃力の吸収性を高めることができる。
【００１２】
また、本発明に係るスタンドは、前記凸部は断面＋字形をなし、前記孔は＋字形をなす構成とするのが好ましい。
この発明にあっては、外部から加わる衝撃力により被支持物が一方向又は他方向へ振動する場合、孔に嵌入されている凸部を孔に沿って一方向又は他方向へ摺動させることができるため、摺動方向へスムーズに摺動させることができ、衝撃力の吸収性を高めることができる。
【００１３】
また、本発明に係るスタンドは、前記凸部の周面及び孔の間に弾性体を設けてある構成とするのが好ましい。
この発明にあっては、取付体及びベースの相対摺動を弾性体にて抑制することができるため、被支持物に衝撃力が加わらない通常の場合の被支持物の安定性を高めることができ、また、衝撃力により被支持物が横方向へ振動する場合、弾性体が振動を吸収するため、被支持物の振動の収束を早めることができる。
【００１４】
また、本発明に係るスタンドは、被支持物を支持するスタンドにおいて、横方向に長い杆体と、該杆体の両端部に横方向への摺動を自在に装着され、前記被支持物に取付けられる二つの支柱と、前記杆体の中央側に結合され、該杆体を支持する柱体と、該柱体の下端部に結合されるベースとを備えることを特徴とする。
この発明にあっては、被支持物の荷重がスタンドに直接加えられ、該スタンドが撓むことなく被支持物の荷重を受止めるため、被支持物の安定性を確保することができる。また、外部から被支持物に加わる衝撃力に対して、被支持物を支持した状態で二つの支柱を横方向へ摺動させ、この二つの支柱の摺動にて衝撃力の一部を吸収することができるため、支柱の被支持物への取付部、及び杆体の支柱装着部等に衝撃力が集中するのをなくすることができ、杆体及び支柱等の部品の剛性を殊更高める必要がなく、スタンドのコストを低減できる。
【００１５】
また、本発明に係るスタンドは、前記柱体は前記ベースに対して横方向への摺動が自在である構成とするのが好ましい。
この発明にあっては、横方向に離隔した２箇所と、上下に離隔した２箇所とに摺動部分があり、合計３箇所の摺動部分にて衝撃力の一部を吸収することができるため、衝撃力の吸収性をより一層高めることができ、被支持物の転倒をより一層余裕をもって防止することができる。
【００１６】
また、本発明に係る表示装置は、画像表示面を有し、前記被支持物を構成する表示装置本体と、該表示装置本体の下部に取付けられる前述した発明のスタンドとを備えることを特徴とする。
この発明にあっては、スタンドが撓むことなく表示装置本体の荷重を受止めるため、表示装置本体の安定性を確保することができ、しかも、外部から表示装置本体に加わる衝撃力に対して、表示装置本体を支持した状態で取付体を横方向へ摺動させ、この取付体の摺動にて衝撃力の一部を吸収することができるため、取付体の表示装置本体への取付部、及びベースの取付体支持部に衝撃力が集中するのをなくすることができ、取付体及びベースの剛性を殊更高める必要がなく、スタンドのコスト、ひいては表示装置のコストを低減できる。
【発明の効果】
【００１７】
本発明によれば、スタンドが撓むことなく被支持物の荷重を受止めるため、被支持物の安定性を確保することができ、しかも、外部から被支持物に加わる衝撃力に対して、被支持物を支持した状態で取付体を横方向へ摺動させ、この取付体の摺動にて衝撃力の一部を吸収することができるため、取付体の被支持物への取付部、及びベースの取付体支持部に衝撃力が集中するのをなくすることができ、取付体及びベースの剛性を殊更高める必要がなく、スタンドのコスト、ひいては表示装置のコストを低減できる。
【図面の簡単な説明】
【００１８】
【図１】本発明に係るスタンドを備える表示装置の構成を示す斜視図である。
【図２】本発明に係るスタンドの構成を示す分解斜視図である。
【図３】本発明に係るスタンドの摺動機構部分の構成を示す斜視図である。
【図４】本発明に係るスタンドの摺動機構部分の構成を示す分解斜視図である。
【図５】図３のV −V 線の拡大断面図である。
【図６】図３のVI−VI線の拡大断面図である。
【図７】図５のVII −VII 線の拡大断面図である。
【図８】本発明に係るスタンドの摺動機構部分の構成を示す正面図である。
【図９】本発明に係るスタンドの摺動機構部分の構成を示す側面図である。
【図１０】本発明に係るスタンドの摺動機構部分の他の構成を示す拡大横断底面図である。
【図１１】本発明に係るスタンドの摺動機構部分の他の構成を示す拡大横断底面図である。
【図１２】本発明に係るスタンドの摺動機構部分の他の構成を示す分解斜視図である。
【発明を実施するための形態】
【００１９】
以下本発明をその実施の形態を示す図面に基づいて詳述する。
実施の形態１
図１は本発明に係るスタンドを備える表示装置の構成を示す斜視図、図２はスタンドの構成を示す分解斜視図、図３はスタンドの摺動機構部分の構成を示す斜視図、図４はスタンドの摺動機構部分の構成を示す分解斜視図、図５は図３のV −V 線の拡大断面図、図６は図３のVI−VI線の拡大断面図、図７は図５のVII −VII 線の拡大断面図、図８はスタンドの摺動機構部分の構成を示す正面図、図９はスタンドの摺動機構部分の構成を示す側面図である。
【００２０】
図示した表示装置は前面に画像表示面を有し、略直方体をなす表示部Ａと、該表示部Ａの下側に配置され、表示部Ａを起立状態で支持するスタンドＢとを備える薄型の液晶テレビジョンである。
【００２１】
表示部Ａは前面に画像表示面１ａを有する液晶のパネル１と、該パネル１の後側に配置された拡散板等の光学シートと、該光学シートの後側に配置された光源部と、該光源部の後面に装着された電源基板等の回路基板と、これらパネル等の部品を収容したキャビネット２とを備えている。
【００２２】
光源部は、離隔して並置される蛍光管、発光ダイオード等の複数の光源と、該光源を保持する箱状の保持体とを備え、該保持体の後面下部で、且つ横方向中央部に横断面コ字形をなす半筒状の取付部が設けられ、該取付部にスタンドＢが取外しを可能に取付けられる。
【００２３】
スタンドＢは、前記取付部に取付けられる取付体３及び該取付体３を横方向への相対摺動を自在に支持するベース４を備える。
【００２４】
取付体３は、前記取付部に取付けられる上取付部材３ａ及び該上取付部材３ａを支持する下取付部材３ｂを有する。
【００２５】
上取付部材３ａは、横方向に長い杆体３１及び該杆体３１の両端部から上方へ突出する半筒状の支柱３２を有し、該支柱３２を表示部Ａの下方から前記取付部へ挿入することが可能になっている。また、杆体３１の長さ方向中央部には上下に貫通する貫通孔３１ａが開設され、該貫通孔３１ａに挿入する雄螺子３３にて下取付部材３ｂが結合されている。
【００２６】
下取付部材３ｂは、杆体３１の中央部に結合される柱体３４及び該柱体３４の下端に雄螺子３５にて結合された板状の上摺動体３６を有する。柱体３４は角筒形をなし、上下に貫通する貫通孔３４ａが四角部に開設されており、杆体３１の貫通孔３１ａに挿入される雄螺子３３が柱体３４の貫通孔３４ａに捩込まれることにより結合される。
【００２７】
上摺動体３６は四角形の板状をなしている。上摺動体３６の中央部には下向きに突出し、前後に長い凸部３６ａが設けられ、該凸部３６ａと横方向両側へ離隔した位置には前後に長い二つの嵌合溝３６ｂ，３６ｂが設けられ、四角部には貫通孔３６ｃが開設されている。凸部３６ａの先端には、後記する下摺動体４１の嵌合孔４１ａの縁部に当接して凸部３６ａが嵌合孔４１ａから抜出るのを防ぐための抜止体３７が雄螺子３８にて取付けられている。また、上摺動体３６は貫通孔３６ｃに挿入される雄螺子３９が柱体３４の貫通孔３４ａに捩込まれることにより結合される。
【００２８】
ベース４は、上摺動体３６に前後方向への相対摺動を自在に重合される下摺動体４１及び該下摺動体４１の下面に雄螺子４３にて結合された板状の台座４２を有する。
【００２９】
下摺動体４１は四角形の板状をなしている。下摺動体４１の中央部には上下に貫通し、前後に長い嵌合孔４１ａが開設され、嵌合孔４１ａと横方向両側へ離隔した位置には前後に長い二つの嵌合突起４１ｂ，４１ｂが設けられ、四角部には貫通孔４１ｃが開設されている。嵌合孔４１ａには凸部３６ａが前後への相対摺動を自在に嵌合され、また、嵌合突起４１ｂ，４１ｂは嵌合溝３６ｂ，３６ｂに前後への相対摺動を自在に嵌合される。凸部３６ａ及び嵌合孔４１ａの前後間には夫々２．５mm程度の隙間があり、表示部Ａに外部から衝撃力が加わったとき、上摺動体３６を５mm程度前後方向へ相対摺動させることができるように構成されている。下摺動体４１の横方向長さは上摺動体３６の横方向長さよりも短い長さに形成され、下摺動体４１の横方向両端部が、上摺動体３６を結合する雄螺子３９と干渉しないようになしてある。
【００３０】
下摺動体４１の中央部には前方及び後方へ延出された延出片４１ｄ及び該延出片４１ｄの先端から上向きに突出する規制片４１ｅが一体に設けられている。規制片４１ｅには、上摺動体３６の前端及び後端と対向し、上摺動体３６が摺動する際に、該上摺動体３６の摺動を抑制するための板状の弾性体４４が取付けられている。弾性体４４はゴム製であるが、その他、板ばね、コイルばねであってもよい。
【００３１】
台座４２には抜止体３７を収容する収容孔４２ａと、雄螺子４３が挿通される挿通孔と、雄螺子３９の頭部との干渉を防ぐための貫通孔４２ｂとが夫々開設されている。
【００３２】
以上のように構成された表示装置は、ベース４の台座４２が床に載置され、ベース４の下摺動体４１上に、取付体３における下取付部材３ｂの上摺動体３６が前後方向への摺動を自在に載置され、上摺動体３６の凸部３６ａが、下摺動体４１の嵌合孔４１ａに摺動を自在に嵌合され、下摺動体４１の嵌合突起４１ｂ，４１ｂが上摺動体３６の嵌合溝３６ｂ，３６ｂに摺動を自在に嵌合され、表示部Ａの荷重が上摺動体３６及び下摺動体４１の重ね合わせ面に加わり、この重ね合わせ面の接触抵抗により表示部Ａの摺動が阻止されている。
【００３３】
表示部Ａの上端部に外部から衝撃力が加わり、表示部Ａが前後に傾倒する方向へ振動することにより前記衝撃力がスタンドＢに加わる場合、該衝撃力にて上摺動体３６が摺動し、この上摺動体３６の摺動により前記衝撃力の一部を吸収することができる。因って、上摺動体３６を柱体３４に結合している雄螺子３９、及び下摺動体４１を台座４２に結合している雄螺子４３に前記衝撃力が集中するのを防ぐことができ、雄螺子３９，４３及び上摺動体３６、下摺動体４１の破損を防止することができ、表示部Ａの転倒を防止することができる。
【００３４】
外部から加わる衝撃力により表示部Ａが前後方向へ振動する場合、上摺動体３６が前後に摺動し、前方への摺動時に、上摺動体３６の前端が弾性体４４に当接して摺動が抑制され、後方への摺動時に、上摺動体３６の後端が弾性体４４に当接して摺動が抑制され、表示部Ａの前後方向への振動の収束を早めることができる。
【００３５】
実施の形態２
図１０は本発明に係るスタンドの摺動機構部分の他の構成を示す拡大横断底面図である。このスタンドＢは、取付体３を前後方向にだけ摺動自在とする代わりに、取付体３を前後方向及び横方向（左右方向）へ摺動自在に構成したものである。
【００３６】
上摺動体３６の凸部３６ａは、断面＋字形をなし、前後に長い第１凸部及び該第１凸部の中央から横方向に長い第２凸部を有する。下摺動体４１の嵌合孔４１ａは、凸部３６ａに対応して＋字形をなし、前後に長い第１嵌合溝及び該第１嵌合溝の中央から横方向に長い第２嵌合溝を有する。凸部３６ａ及び嵌合孔４１ａの前後夫々の間と、横方向夫々の間とには夫々２．５mm程度の隙間があり、表示部Ａに外部から衝撃力が加わったとき、上摺動体３６を５mm程度前後方向又は横方向（左右方向）へ相対摺動させることができるように構成されている。
【００３７】
この実施の形態にあっては、外部から表示部Ａの上端部に衝撃力が加わり、表示部Ａが前後又は横方向（左右方向）に傾倒する方向へ振動することにより前記衝撃力がスタンドＢに加わる場合、該衝撃力にて上摺動体３６が前後又は横方向へ摺動し、この上摺動体３６の摺動により前記衝撃力の一部を吸収することができる。因って、上摺動体３６を柱体３４に結合している雄螺子３９、及び下摺動体４１を台座４２に結合している雄螺子４３に前記衝撃力が集中するのを防ぐことができ、雄螺子３９，４３及び上摺動体３６、下摺動体４１の破損を防止することができ、表示部Ａの転倒を防止することができる。
その他の構成及び作用は実施の形態１と同様であるため、同様の部品については同じ符号を付し、その詳細な説明及び作用効果の説明を省略する。
【００３８】
実施の形態３
図１１は本発明に係るスタンドの摺動機構部分の他の構成を示す拡大横断底面図である。この表示装置は、断面＋字形をなす凸部３６ａと、凸部３６ａに対応して＋字形をなす嵌合孔４１ａとの間の隙間に、凸部３６ａ及び嵌合孔４１ａに対応して断面＋字形をなす筒状の弾性体４５を設け、外部から表示部Ａに加わる衝撃力により表示部Ａが前後方向又は横方向（左右方向）へ振動する場合、表示部Ａの前後方向への振動の収束、及び横方向（左右方向）への振動の収束を早めることができるように構成したものである。
【００３９】
弾性体４５はゴム製であり、前後に長い第１溝及び該第１溝の中央から横方向に長い第２溝を有し、嵌合孔４１ａに嵌入された状態で、第１溝及び第２溝に凸部３６ａが嵌入されている。尚、弾性体４５はゴム製である他、板ばね、コイルばねであってもよい。また、ゴム製である場合、筒状である他、断面Ｖ字形又は扁平の板状であってもよい。
【００４０】
この実施の形態にあっては、外部から表示部Ａに加わる衝撃力により表示部Ａが前後方向又は横方向（左右方向）へ振動する場合、上摺動体３６が前後に摺動、又は横方向に摺動し、前方への摺動時又は横方向一方への摺動時に、上摺動体３６の摺動が抑制され、後方への摺動時又は横方向他方への摺動時に、上摺動体３６の摺動が抑制され、表示部Ａの前後方向への振動の収束を早めることができる。
その他の構成及び作用は実施の形態１、２と同様であるため、同様の部品については同じ符号を付し、その詳細な説明及び作用効果の説明を省略する。
【００４１】
実施の形態４
図１２は本発明に係るスタンドの摺動機構部分の他の構成を示す分解斜視図である。このスタンドＢは、取付体３とベース４との間に摺動機構を設けて取付体３を摺動自在に構成する代わりに、取付体３における上取付部材３ａの杆体３１と二つの支柱３２，３２との間に摺動機構を設けて支柱３２，３２を前後方向へ摺動自在に構成したものである。
【００４２】
支柱３２，３２の下端には四角形の板状をなす上摺動体３０が夫々雄螺子にて結合される。上摺動体３０の中央部には下向きに突出する凸部３０ａが設けられ、該凸部３０ａと横方向両側へ離隔した位置には前後に長い二つの嵌合溝３０ｂ，３０ｂが設けられ、四角部に開設されている貫通孔３０ｃに挿入される雄螺子が支柱３２，３２の貫通孔に捩じ込まれることにより結合される。
【００４３】
杆体３１の両端部上面には四角形の板状をなす下摺動体４０が雄螺子にて結合される。下摺動体４０の中央部には上下に貫通し、前後に長い嵌合孔４０ａが開設され、嵌合孔４０ａと横方向両側へ離隔した位置には前後に長い二つの嵌合突起４０ｂ，４０ｂが設けられ、四角部に開設されている貫通孔４０ｃに挿入される雄螺子が杆体３１の貫通孔に捩じ込まれることにより結合される。
【００４４】
下摺動体４０の中央部には前方及び後方へ延出された延出片４０ｄ及び該延出片４０ｄの先端から上向きに突出する規制片４０ｅが一体に設けられている。規制片４０ｅには、上摺動体３０の前端及び後端と対向し、上摺動体３０が摺動する際に、該上摺動体３０の摺動の抑制するための板状の弾性体４６が取付けられている。
【００４５】
この実施の形態にあっては、表示部Ａの上端部に外部から衝撃力が加わり、表示部Ａが前後に傾倒する方向へ振動することにより前記衝撃力がスタンドＢに加わる場合、該衝撃力にて上摺動体３０が摺動し、この上摺動体３０の摺動により前記衝撃力の一部を吸収することができる。因って、上摺動体３０を支柱３２に結合している雄螺子、及び下摺動体４０を杆体３１に結合している雄螺子に前記衝撃力が集中するのを防ぐことができ、雄螺子及び上摺動体３０、下摺動体４０の破損を防止することができ、表示部Ａの転倒を防止することができる。
【００４６】
外部から加わる衝撃力により表示部Ａが前後方向へ振動する場合、上摺動体３０が前後に摺動し、前方への摺動時に、上摺動体３０の前端が弾性体４６に当接して摺動が抑制され、後方への摺動時に、上摺動体３０の後端が弾性体４６に当接して摺動が抑制され、表示部Ａの前後方向への振動の収束を早めることができる。
その他の構成及び作用は実施の形態１、２と同様であるため、同様の部品については同じ符号を付し、その詳細な説明及び作用効果の説明を省略する。
【００４７】
尚、以上説明した実施の形態では、スタンドＢにおける取付体３とベース４との間、又は、スタンドＢにおける上取付部材３ａの杆体３１と支柱３２との間に、凸部３６ａ及び嵌合孔４１ａを有する摺動機構を設けたが、その他、摺動機構は、スタンドＢにおける取付体３とベース４との間、及びスタンドＢにおける上取付部材３ａの杆体３１と支柱３２との間の夫々に設けてもよい。
【００４８】
また、以上説明した実施の形態の摺動機構は、前後方向、又は前後方向及び横方向（左右方向）に摺動を自在としたが、その他、横方向（左右方向）にだけ摺動を自在としてもよい。
【００４９】
また、以上説明した実施の形態では、上摺動体３０，３６及び下摺動体４０，４１を有する構成としたが、その他上摺動体３０，３６及び下摺動体４０，４１は必ずしも必要でない。
【００５０】
また、以上説明した実施の形態では、取付体３側（又は支柱３２）に凸部３６ａ（３０ａ）を設け、ベース４側（又は杆体３１）に嵌合孔４１ａ（４０ａ）を設けたが、その他、取付体３側（又は支柱３２）に嵌合孔４１ａ（４０ａ）を設け、ベース４側（又は杆体３１）に凸部３６ａ（３０ａ）を設けてもよい。
【００５１】
また、本発明に係る表示装置は液晶テレビジョン等の液晶表示装置である他、プラズマ表示装置、ＥＬディスプレイ等の表示装置であってもよい。
【符号の説明】
【００５２】
Ａ    表示装置本体（被支持物）
Ｂ    スタンド
３    取付体
３１  杆体
３２  支柱
３４  柱体
３６ａ  凸部
４    ベース
４１ａ  嵌合孔（孔）
４４  弾性体
４５  弾性体
【図１】
2010266690.tif 000003
【図２】
2010266690.tif 000004
【図３】
2010266690.tif 000005
【図４】
2010266690.tif 000006
【図５】
2010266690.tif 000007
【図６】
2010266690.tif 000008
【図７】
2010266690.tif 000009
【図８】
2010266690.tif 000010
【図９】
2010266690.tif 000011
【図１０】
2010266690.tif 000012
【図１１】
2010266690.tif 000013
【図１２】
2010266690.tif 000014